(57)【要約】      （修正有）【課題】口腔内のプラーク分解、有機酸の中和、虫歯及び歯槽膿漏の原因菌に対し、分解をさせ、歯、及び口腔衛生状態を効率的に向上させて行くことが出来るＴｈｒｅｅ  Ｗａｙイオン反応装置と文字図形及び電子発光表示装置を具備した光電池イオン歯ブラシを提供する。【解決手段】歯磨きをする際、導電部１２及びイオン部１３が唾液等の水液でコーティングされた時、光気電力による水素イオンＨ＋のイオン率を促進し、ハンドル部の＋極を光電池２、Ｏｎ−ｋｅｙ３、文字図形及び電子発光表示装置４の導体性圧着保護体に各々接触させると同時にイオン反応が発揮されるＴｗｏ  Ｗａｙ方式のイオン反応装置が提供され、又、イオン化傾向が違う異種金属の導電部の構成により、電源が切れた状態でも電位差によるイオン反応がイオン部より発揮されるＴｈｒｅｅ  Ｗａｙイオン反応装置が提供される。【選択図】図１
2004321765.tif 000002
【特許請求の範囲】
【請求項１】
ブラシの毛があるブラシ部とブラシ部の方向にイオン化傾向が違う異種金属で形成され、直流回路を持つ導電部にブラシ部の結合により導電部を中心とした、円形の側面差が１．５ｍｍ間隔のイオン部が形成され、ハンドル部の一端に光電池、他の一方に文字図形及び電子発光表示装置のディスプレイ（Ｄｉｓｐｌａｙ）、又、他の一端にはＯｎ−ｋｅｙを形成し、各々導体性圧着保護体で密着しそして又、他の一端には着脱方式に電池を挿入し、ハンドル部に内設した蓄電池、Ｄｒｉｖｅｒ  ＩＣ，Ｏｎｅ−Ｃｈｉｐ  Ｍｉｃｏｍ，Ａｕｔｏ  Ｐｏｗｅｒ  Ｏｆｆ機能、メモリー、抵抗器、基盤と電気的に構成されたＴｈｒｅｅ  Ｗａｙイオン反応装置と文字図形及び電子発光表示装置を具備した光電池イオン歯ブラシ。
【請求項２】
第１項に於て、異種金属の導電部がイオン化傾向が大きい導電体の表面積がイオン化傾向が小さい導電体の表面積より、より広く形成し、ハンドル部の（−）極に接続し、イオン化傾向が小さい導電部を持つ導電体は光電池、文字図形及び電子発光表示装置、Ｏｎ−ｋｅｙに付設された導体性圧着保護体と連結しハンドル部の（＋）極に接続し、歯磨きする際、圧着保護体に手が触れると同時にＴｗｏ  Ｗａｙイオン反応が発揮され、歯磨き後、電源が遮断された状態のイオン部で、異種金属の電位差によるイオン反応が発揮される事を特徴とする、Ｔｈｒｅｅ  ｗａｙイオン反応装置と文字図形及び電子発光表示装置を具備した光電池イオン歯ブラシ。
【請求項３】
第１項に於て導電部を異種金属でＯｈｍｉｃ結合したのを特徴とするＴｗｏＷａｙイオン反応装置と文字図形及び電子発光表示装置を具備した光電池イオン歯ブラシ。
【請求項４】
文字図形及び電子発光表示装置が元素周期率表第３族と第５族元素の組合わせで形成され、Ｂａｃｋ  Ｌｉｇｈｔを具備したＬＣＤ：Ｌｉｑｕｉｄ  Ｃｒｙｓｔａｌ  Ｄｉｓｐｌａｙ類、即ち、手動メトリックス方式のＴＮ−ＬＣＤ：Ｔｗｉｓｔｅｄ  Ｎｅｍａｔｉｃ  Ｌｉｑｕｉｄ  Ｃｒｙｓｔａｌ  Ｄｉｓｐｌａｙ，ＳＴＮ−ＬＣＤ：Ｓｕｐｅｒ−Ｔｗｉｓｔｅｄ  ｎｅｍａｔｉｃ  Ｌｉｑｕｉｄ  Ｃｒｙｓｔａｌ  Ｄｉｓｐｌａｙ及び能動メトリックス方式のＴＦＴ−ＬＣＤ：Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ，ＬＥＤ：Ｌｉｇｈｔ  Ｅｍｉｔｔｉｎｇ  Ｄｉｏｄｅ，ＦＮＤ，電界発光表示装置（ＥＬ），そして、プラズマ表示装置（ＰＤＰ：Ｐｌａｓｍａ  Ｄｉｓｐｌａｙ  Ｐａｎｅｌ，ＡＣ又は、ＤＣ駆動型を問わない）が、選定され、電子信号により、３色で点灯される事を特徴とする、Ｔｈｒｅｅ  Ｗａｙイオン反応装置と文字図形及び電子発光表示装置を具備する光電池イオン歯ブラシ。
【請求項５】
Ｏｎ−ｋｅｙを作動し、３分経過した後には、自動的に電源が切れる、Ａｕｔｏ  Ｐｏｗｅｒ  Ｏｆｆ機能をハンドル部に内設した事を特徴とする、Ｔｈｒｅｅ  Ｗａｙイオン反応装置と文字図形及び電子発光表示装置を具備する光電池イオン歯ブラシ。
【請求項６】
周辺の明るさによって光電池→蓄電池→内蔵電池の順に自動的に変換され、イオン反応に適合する電圧が一定に供給される機能をハンドル部に内設した事を特徴としたＴｈｒｅｅ  Ｗａｙイオン反応装置と文字図形及び電子発光表示装置を具備する光電池イオン歯ブラシ。
【請求項７】
第１項又は、第２項に於て、歯ブラシ部とハンドル部が着脱型で結合分離が可能な様に構成されている事を特徴とした、Ｔｈｒｅｅ  Ｗａｙイオン反応装置と文字図形及び電子発光表示装置を具備する光電池イオン歯ブラシ。
【請求項８】
第１項、第２項又、第３項に於て、導電部が歯ブラシ部の植毛部位に密着されている事を特徴とした、Ｔｈｒｅｅ  Ｗａｙイオン反応装置と文字図形及び電子発光表示装置を具備する光電池イオン歯ブラシ。
【発明の詳細な説明】
【０００１】
【発明の属する技術分野】
本発明は、Ｔｈｒｅｅ  Ｗａｙイオン反応装置と文字図形及び電子発光表示装置を具備した光電池（Ｓｏｌａｒ  Ｃｅｌｌ）イオン歯ブラシに関するものである。ハンドル部の一端に光電池（Ｓｏｌａｒ  Ｃｅｌｌ）を設置し、他の一端にはＢａｃｋ  ｌｉｇｈｔの具備により、様々な色が現れるＣＤ：Ｌｉｑｕｉｄ  Ｃｒｙｓｔａｌ  Ｄｉｓｐｌａｙ，ＬＥＤ（Ｌｉｇｈｔ  Ｅｍｉｔｔｉｎｇ  Ｄｉｏｄｅ），ＦＮＤ又は、ＰＤＰ：Ｐｌａｓｍａ  ｄｉｓｐｌａｙ  Ｐａｎｅｌを設置し、イオン濃度等の各種の情報が、様々な色の文字図形等にも、表示するようにさせる、と同時にハンドル部内部には、コイン型蓄電池を内蔵し、コイン型電池は着脱式の挿入型で構成されていて、光電池、蓄電池、内蔵電池の順で周辺の明るさによって自動的に変換、併用され、どんな所でも適当な電圧が供給する事ができるようにすると同時に又、もう一方に形成されたＯｎ−ｋｅｙ作動後に、一定の時間の経過後には不必要な電力消費を防止する手段として自動的に電源が切れる、Ａｕｔｏ  Ｐｏｗｅｒ  Ｏｆｆ機能を搭載したＤｒｉｖｅｒ  ＩＣ等を電気的回路に構成した。ブラシ部の先の方に形成された導電部はイオン化を促進する一貫でイオン化傾向の差が大きい異種金属の組み合わせで、電気的直流回路を構成しながらイオン化傾向が大きい金属を（−）極に接続し、イオン化傾向が小さい金属を（＋）極に接続すると同時に（＋）極より（−）極の表面積（イオン化傾向が大きい金属）を導電部よりより広く形成させ、ブラシ部の結合により導電部と  １．５ｍｍの円形の側面間隔を持ち、構成されているイオン部が唾液等の水液でコーティングされた時、加速的に分極作用による水素イオン（Ｈ＋）の酸化・還元反応が創出する様にさせ、又、（＋）極を光電池、Ｏｎ−ｋｅｙ、文字図形及び電子発光表示装置等の圧着保護体に接続させ、同時性に反応するＴｗｏ  Ｗａｙイオン反応の回路が形成され、そして又、イオン化傾向の差が大きい異種金属のＯｈｍｉｃ結合で導電部を形成し、イオン部に水分が残存するあるイオン反応が発揮され、Ｔｈｒｅｅ  Ｗａｙイオン反応の回路が構成される事によって、衛生的で効率的なイオン反応を期待する事が出来る、と同時に文字図形表示装置より提供される情報の活用で口腔衛生及び歯の健康状態を管理し、向上させる事ができるＴｈｒｅｅ  Ｗａｙイオン反応装置と文字図形及び電子発光表示装置を具備した光電池イオン歯ブラシに関するものである。
【０００２】
【従来の技術】
本発明の出願人は、２０００年１１月２７日『発光体を具備する光電池イオン歯ブラシ』と言う考案の名称で実用新案登録を出願（出願番号  第２０００−００３３１９７号）し、２００１年３月１６日付けで、先に登録（登録第０２２５４０１号）した後、２００１年１１月２２日、技術評価決定書の為の登録維持決定を受けている。又、２０００年１１月２９日に、上記と同一の名称で特許二重出願（出願番号２０００−００７２７８３号）した後、２００１年１１月２１日に、明細書等自ら補正書を提出しているが、より効果的なＴｈｒｅｅ  Ｗａｙイオン反応装置と、文字図形及び電子発光表示装置を具備した光電池イオン歯ブラシを提供し、世人の口腔衛生及び歯の健康に助けになればと言うものである。
【０００３】
【発明が解決しようとする技術的課題】
本発明の目的は、光電池電気化学反応による効率的な分極作用を助長させ、水素イオン（Ｈ＋）の酸化・還元反応を促進させる結果、口腔内のプラーク分解、有機酸の中和、虫歯及び歯槽膿漏の原因菌に対し、分解をさせ、歯、及び口腔衛生状態を効率的に向上させて行くことが出来るＴｈｒｅｅ  Ｗａｙイオン反応装置と文字図形及び電子発光表示装置を具備した光電池イオン歯ブラシを提供することにある。この為に、本発明は、絶縁体の一面にイオン化傾向が大きい金属を導電体として設置し、他の一面には、イオン化傾向が小さい金属を導電体として設置した後、イオン化傾向が大きい導電体の表面積をイオン化傾向が小さい導電体の表面積より導電部でより広く形成し、ハンドル部に構成した電気的な回路の（−）極に接続し、イオン化傾向が小さい導電体はハンドル部に構成した電気的な回路の（＋）極に接続すると同時にハンドル部に形成した、光電池、Ｏｎ−ｋｅｙ、Ｄｉｓｐｌａｙ等の防水目的で形成し、導体性の材料で選定された圧着保護体に接続し、直流回路を持つ導電部が構成されると同時にイオン回路が形成され、加速的な同時性イオン反応が発揮されるＴｗｏ  Ｗａｙイオン反応回路が異種金属で形成されている直流回路の導電部が形成され、又、導電部の構成にあたり、ブラシ部の方向の先端を基点にしてイオン化傾向が大きい導電体←絶縁体←イオン化傾向が小さい導電体←絶縁体←イオン化傾向が大きい導電体の順に挿入型で形成され、イオン化傾向が大きい導電体は、ハンドル部に構成された電気的回路の（−）極に接続し、イオン化傾向が小さい導電体はハンドル部に構成された電気的回路の（＋）極に電気的に接続し、直流回路を持つ、３種類の異種金属で構成された導電部にブラシ部の結合により、イオン部が構成され、効率的な酸化・還元反応が発揮されるＴｈｒｅｅ  Ｗａｙイオン反応装置が構成されるものである。
【０００４】
本発明の他の目的は、文字図形及び電子発光表示装置から提供され、表示される各種の情報、即ち、光電池よりの発生電圧の表示、イオン濃度の表示、使用者が光電池の表面積を隠して持ったり、広く持ったりして選択した使用電圧の表示、ブラシを交換した日付の表示、ブラシを使用した期間の表示、ブラシを交換して歯の健康に注意するように、と言う表示、ブラシ購入案内書表示、各種の歯の健康に関する資料及び常識の情報表示等をＣｈｉｐに内蔵させ、Ｄｒｉｖｅｒ  ＩＣ  Ｃｈｉｐの電気的信号とプログラムによって使用者が識別し、有意なようにしながら口腔及び歯の健康を効率的に管理し、向上させる事が出来る、文字図形及び電子発光表示装置を具備した光電池イオン歯ブラシを提供することにある。この為に、本考案はハンドル部の一端にＢａｃｋ  Ｌｉｇｈｔを具備し、様々な色が現れる小型のＬＣＤ：Ｌｉｑｕｉｄ  Ｃｒｙｓｔａｌ  Ｄｉｓｐｌａｙ類、即ち手動メトリックス方式のＴＮ−ＬＣＤ（Ｔｗｉｓｔｅｄ  ＮｅｍａｔｉｃＬｉｑｕｉｄ  Ｃｒｙｓｔａｌ  Ｄｉｓｐｌａｙ），ＳＴＮ−ＬＣＤ（Ｓｕｐｅｒ−Ｔｗｉｓｔｅｄ  Ｎａｍａｔｉｃ  Ｌｉｑｕｉｄ  Ｃｒｙｓｔａｌ  Ｄｉｓｐｌａｙ）及び能動メトリックス方式のＴＦＴ−ＬＣＤ（Ｔｈｉｎ  ＦｉｌｍＴｒａｎｓｉｓｔｏｒ  Ｌｉｑｕｉｄ  Ｃｒｙｓｔａｌ  Ｄｉｓｐｌａｙ），ＬＥＤ（Ｌｉｇｈｔ  Ｅｍｉｔｔｉｎｇ  Ｄｉｏｄｅ），ＦＮＤ，電界発光表示装置（ＥＬ）又は、ＰＤＰ：Ｐｌａｓｍａ  Ｄｉｓｐｌａｙ  Ｐａｎｅｌを設置し、ハンドル部にメモリーチップに内蔵されている口腔衛生と歯の健康に有意義な各種の情報が様々な色の文字図形等でも電子発光表示装置に表示されるようにし、使用者の口腔衛生及び歯の健康に貢献しようと言うものである。
【０００５】
本発明のもうひとつの目的はハンドル部の内部にＤｒｉｖｅｒ  ＩＣとＰＣＢ基盤等と、コイン型蓄電池を内蔵し、コイン型電池は使用できる期間が有限であると言う点を考慮し、着脱式の挿入型の生活防水型で構成し、光電池、蓄電池、内蔵電池が周辺の明るさによって自動的に変換され、併用され、周辺のどんな環境にも適当な電圧が供給する事が出来ると同時にハンドル部のもう一方の一端にはＯｎ−ｋｅｙを形成し、歯磨きをする際Ｏｎ−ｋｅｙ作動後３分経過後には不必要な電力消費を防止する手段として自動的に電源が切れる、Ａｕｔｏ  Ｐｏｗｅｒ  Ｏｆｆ機能を搭載したＤｒｉｖｅｒ  ＩＣ等を電気的回路に構成した。もう一度歯磨きをしようとする時には、Ｏｎ−ｋｅｙを作動させ、周辺の明るさに自動的に対応し、変換される光電池、蓄電池、内蔵電池の併用で、効率的な電解反応及び、イオン反応に的確な電圧が均等で一定に供給されるのである。
【０００６】
【問題を解決する為の手段】
本発明は、ハンドル部（１）の一端に光電池（２）を設置し、他の一方にＯｎ−ｋｅｙ（３）を設置し、また他の側面に文字図形及び電子発光表示装置（４）を設置すると同時にハンドル部（１）よりブラシ部（１０）の方向にハンドル部と一体に形成された絶縁体（１１）の一端に導電体（１２ａ）を、他の一端には導電体（１２ｂ）を各々イオン化傾向が違う金属で（−）極に接続された導電体の表面積がより広く形成され、導電部（１２）を構成すると同時にブラシ部（１０）の結合により、導電部（１２）を中心に円形の側面の間隔が１．５ｍｍのイオン部（１３）が構成されハンドル部（１）に蓄電池（６）を内蔵設置し、光電池（２）、蓄電池（６）、内蔵電池（５）、抵抗器（９），文字図形及び電子発光表示装置（４）、導電部（１２）、Ｄｒｉｖｅｒ  ＩＣ（８）、ＰＣＢ基盤（７）と電気的直流回路を構成し、歯磨きをする際、導電部（１２）及びイオン部（１３）が唾液等の水液でコーティングされた時、光気電力による水素イオン（Ｈ＋）のイオン率を促進し、ハンドル座の（＋）極を光電池（２）、Ｏｎ−ｋｅｙ（３）、文字図形及び電子発光表示装置（４）の導体性圧着保護体に各々接触させると同時にイオン反応が発揮されるＴｗｏ  Ｗａｙ方式のイオン反応装置が提供され、又、イオン化傾向が違う異種金属の導電部の構成により、電源が切れた状態でも電位差によるイオン反応がイオン部より発揮されるＴｈｒｅｅ  Ｗａｙイオン反応装置が提供されると同時に文字図形及び電子発光表示装置（４）に表示された口腔衛生及び歯の健康に関する情報を使用者が習得し、有意できるので口腔衛生及び歯の健康状態を効率的に管理し向上させる事ができる事を特徴とする、Ｔｈｒｅｅ  Ｗａｙイオン反応装置と文字図形及び電子発光表示を具備した光電池イオン歯ブラシに関するものである。
【０００９】
【発明の実施の形態】
以下の添付図面を参考にして、本発明を詳細に説明するならば次のようになる。
図１ないし図２は、本発明の第１実施例としてハンドル部（１）の一端に光電池（２）を、もう一方の端にＢａｃｋ  ｌｉｇｈｔを具備した文字図形及び電子発光表示装置（４）を固定した後に、その上に０．５ｍｍの間隔を形成させ、光の通過性と外部の衝撃を考慮した透明性及び緩衝性が優れている保護フィルムを選定し、又もう一方の端にはＯｎ−ｋｅｙ：３を装着した後に導体性材料で選んだ圧着保護体（１４，１５，１６）をゴムと共に圧着し、各々生活防水になる様に密閉させた。又、ハンドル部（１）のもう一方の端には、コイン型電池（５）を着脱方式の挿入型溝に挿入した後、ねじ型の蓋で密閉させた。ハンドル部に内蔵されているコイン型蓄電池（６）、ＰＣＢ基盤（７）を備えたＤｒｉｖｅｒＩＣ（８）メモリーチップ、抵抗器（９）等は光電池（２）、文字図形及び電子発光表示装置（４）、Ｏｎ−ｋｅｙ（３）、内蔵電池（５）等と、電気的及びプログラム的回路を構成した。又、ブラシ部（１０）の先の方に射出成形の行程にて、ハンドル部（１）と、一体の対象として形成された絶縁体（１１）の一面に、一種の導電体（１２ａ）を装着し、絶縁体（１１）の他の一面には他の種の導電体（１２ｂ）を装着すると同時にイオン化傾向が大きい導電体をイオン化傾向が小さい導電体より表面積をより広く形成させ、ハンドル部（１）に構成された（−）極回路に接続し、イオン化傾向が小さい導電体はイオン化傾向が大きい導電体より表面積を小さく形成し、ハンドル部に構成された（＋）極回路に接続させると同時に、前述した圧着保護体（１４、１５、１６）にまで接続させながら異種金属で形成され、表面積の比率が違う電気的直流回路を持つ、導電部（１２）が構成され、第１次イオン反応が発揮されると同時に、歯磨きをする時、使用者が手に圧着保護体（１４、１５、１６）の内、どこに触っても（＋）イオンは歯に帯電し、第２次イオン反応と同時に発揮されるものとして、Ｔｗｏ  Ｗａｙイオン反応の装置、即ち回路が構成されるのである。ここにブラシ部（１０）の結合により、導電部（１２）と  １．５ｍｍの円形の側面差間隔を持つイオン部（１３）が構成され、歯磨きをする際、唾液等の水液でコーティングされたイオン部（１３）にて、又、口腔内にてＴｗｏ  Ｗａｙで加速的なイオン反応が発揮されるのである。又、水分の凝集力でイオン部に残存する水液は異種金属の電位差によるイオン反応の結果、ブラシ部の殺菌及び消毒の効果を期待する事が出来る、第３次イオン反応が発揮されるのを初めとしてＴｈｒｅｅ−Ｗａｙイオン反応装置及び回路が具備されるのである。
【００１０】
開知のイオン化傾向の列の金属の順位は下記通りであり、人体に無害であり、安全で、安全な材料を厳選し、導電体を形成した。それから、金属の溶蝕性を考慮し、下記に記載していない耐蝕性が優秀な金属を別途選定し、異種金属に形成され直流回路を持つ導電体及び導電部を構成する事も出来る。
（大）Ｌｉ，Ｋ，Ｂａ，Ｃａ，Ｎａ，Ｍｇ，Ａｌ，Ｚｎ，Ｆｅ，Ｎｉ，Ｓｎ，Ｐｂ，（Ｈ），Ｃｕ，Ｈｇ，Ａｇ，Ｐｔ，Ａｕ（小）
陰電極の反応：２Ｈ＋２ｅ−→Ｈ２↑                    ［１］
陽電極の反応：Ｈ２Ｏ      →１／２Ｏ２＋２Ｈ＋２ｅ−  ［２］
電反応      ：Ｈ２Ｏ      →Ｈ２  ＋１／２Ｏ２        ［３］
上記［１］ないし［２］の電解反応式に於ては電位差による水素イオン（Ｈ＋）のイオン化を促進する方法でイオン化傾向性の差が大きい異種金属を選定し、周辺の明るさに制限されずに必要に応じた一定の電圧を活用する事が出来る、前述した内容と同じ構成で、効率的なイオン反応を期待する事が出来る。
【００１１】
図３は、本発明による、文字図形及び電子発光表示装置を具備した光電池イオン歯ブラシの構成に関する電気回路の基本的概念図である。
【００１２】
図４は、本発明による、第２実施例を表す。この実施例では、第１実施例の類似類型の材料に２０を加えた。第２実施例はより、効率的なイオン反応による歯磨き効果を期待する事が出来る、３種類の異種金属で構成されていて、直流回路を持つ、導電部（２４）に関するものである。図５に表す様にイオン化傾向が大きい金属を選定し、導電体（２４ａ）を形成し、絶縁体（２４ｂ）を付けた後、イオン化傾向が小さい金属を選定し、導電体（２４ｃ）を形成し、絶縁体（２４ｂ）に付けた後、絶縁体（２４ｄ）を導電体（２４ｃ）に付けた次に、イオン化傾向が大きい金属中から電子に選定した金属を排除した、他の金属を選定し、導電体（２４ｅ）を付けた後に、絶縁体に形成したナット（２４ｆ）で導電体（２４ａ）のボルトに組み立てて、圧着し、異物質の流入を防止すると同時にイオン化傾向が大きい各々違う金属から選定し、形成した導電体（２４ａ）と導電体（２４ｅ）はハンドル部（２１）に構成された要素と電気的に（−）極に接続し、イオン化傾向が小さい金属から選定し、形成した導電体（２４ｃ）と導体性材料で選定された圧着保護体（２５、２６、２７）をハンドル部（２１）の（＋）極に電気的に接続しながら同時性のＴｗｏ  Ｗａｙイオン反応装置及び回路が構成され、（−）極が（＋）極より表面積がより広く、３種類の異種金属で形成され、金属の色を考慮し、導電体＋絶縁体＋導電体＋絶縁体＋導電体＋絶縁体の組立てにより、微積要素が演出する直流回路の導電部の構成により、効率的なＴｈｒｅｅ  Ｗａｙイオン反応が発揮される。
【００１３】
図５は、本発明による第３実施例を表す。この実施例では第１実施例の類似類型の材料に３０を加え、説明する。この実施例では導電部（３２）をイオン化傾向の差が大きい２種類の異種金属を先の方向のＯｈｍｉｃ結合で導電体を形成し、ハンドル部（３１）の（−）極にのみ接続し、（＋）極はハンドル部（３１）に構成された要素の電気的回路を経由し、ハンドル部に形成した光電池（３３）、文字図形及び電子発光表示装置（３４）、ＯＮ−ｋｅｙ（３５）等の周りに水液の流入を防止する目的で形成した導体性圧着保護体（３６）に使用者が歯磨きをする際、手の接触により（＋）イオンが歯に到達すると歯及び口腔内から分極作用による酸化・還元反応が発揮されると同時に人体に通電された電圧が文字図形及び電子発光表示装置（３４）に表示される様にし、使用者に適合した電圧を光電池（３３）の表面積を広く持ったり、隠して持ったりして、適切な電圧の選択が容易な様に構成すると同時に異種金属の電位差によるイオン反応によりＴｗｏ  Ｗａｙイオン反応装置及び回路の具備により虫歯及び口腔疾患を予防し、改善する事が出来る。
【００１４】
図６は、本発明による第４実施例を表す。この実施例では第１実施例の類似類型の材料に４０を加え説明をする。この実施例では、導電部（４２）をイオン化傾向の差が大きい２種類の異種金属を先の方向に溝を形成した螺旋型のＯｈｍｉｃ結合により、導電体を形成し、ハンドル部（４１）の（−）極にのみ接続し、ここにブラシ部（４３）を結合させながら導電部（４２）を基準にし、円形の側面差間隔が１．５ｍｍのイオン部（４４）が形成され、唾液等の水液の貯水量を上げ循環が円滑になる様にし、イオン率を操作すると同時に（＋）極はハンドル部（４１）に構成した要素の電気的回路を経由して、ハンドル部（４１）各々の一端に形成した光電池（４５）、Ｏｎ−ｋｅｙ（４７）等の周りに水液の流入を防止する目的で形成した圧着保護体（４８）の材料を導体性で形成し、使用者が歯磨きする時、手の接触により、（＋）イオンが歯に到達すると歯及び口腔内にて、分極作用による酸化・還元反応が発揮されると同時に人体に通電される電圧が文字図形及び電子発光表示装置（４６）に表示される様になり、使用者に適切な電圧を光電池（４５）の表面積を広く持ったり、隠して持って選択が容易な様に構成されていてＴｗｏ  Ｗａｙイオン反応装置及び回路が具備され虫歯及び口腔疾患を予防し、改善する事が出来る。
上の第１、第２、第３、第４実施例に於て文字図形及び電子発光表示装置を具備した光電池イオン歯ブラシは合成樹脂等で形成される。又、各部の作動に必要な電源は基本的には光電池より獲得され、蓄電池に記憶させ、気電力に必要な光は、太陽と同じ自然の光か、電灯と同じ人工の光かは問わない。又、本考案に伴う図１ないし図６は任意の形成であり、どんな制約にも拘束を受けない。
【００１５】
【発明の効果】
以上で述べた通り、本発明は、Ｔｈｒｅｅ  Ｗａｙイオン反応装置と文字図形及び電子発光表示装置を具備した光電池イオン歯ブラシに関するものである。
歯ブラシとは物理的掃除道具と定義する事が出来る。即ち、歯面に付着した異物質を除去する箒と同じ掃除道具なのである。異物質の代表はプラークである。プラークは６０あまりもの細菌で集成された群体である。そう見ると、従来の歯磨きは細菌を箒で掃くという、ある意味では原始的口腔掃除方法であるとも言える点に於て、機能性歯ブラシの有効な重要性を見つける事が出来る。この為に、本発明は光気電力による分極反応及び酸化・還元反応でプラークが分解され、有機酸の中和、虫歯および歯槽膿漏の原因菌を、分解させ歯面の沈着色素を加速的に分解する事が出来る、Ｔｒｅｅ  Ｗａｙイオン反応装置及び回路を具備し、使用者に有用な口腔衛生と歯の健康管理指針及び、ブラシを交換した時期、交換しなければならない時点、光気電力の電圧生成程度の表示、イオン及びｐＨ濃度の表示、リフィール用のブラシの購入先の案内等々が表示され、効率的に口腔衛生及び歯の健康を管理し、向上させる事が出来るＴｈｒｅｅ  ｗａｙイオン反応装置と文字図形及び電子発光表示装置を具備した光電池イオン歯ブラシが提供される。
【００１６】
人によって、多少の差があるが、普遍的に歯磨き時間が２〜３分以内である、と言う点を考慮して、加速的に効率的なイオン反応を促進する目的で、イオン化傾向が大きい金属を導電体に形成し、ハンドル部に電気的に構成された（−）極に接続し、イオン化傾向が小さい金属と導電体に形成し、ハンドル部の一端、もう一方の端、また他の一端に形成した導体性の圧着保護体と同じく電気的に構成されたハンドル部の（＋）極に接続しながら導電部の直流回路を持つ、イオン部ではイオン反応、口腔内では陽陰のイオン反応が同時的に発揮されるＴｗｏ  Ｗａｙイオン反応装置が構成され、短い時間でも最大の歯磨き効果を期待する事が出来る。又、異種金属で形成され、直流回路及びＯｈｍｉｃ結合で形成された導電部を持つ、イオン部の電位差によるイオン反応は水分が残存しているブラシ部を消毒する効果を期待する事ができる事によって上述ＬたＴｗｏ  Ｗａｙイオン反応装置と共にＴｈｒｅｅ  Ｗａｙイオン反応装置及び回路を兼ね備えた文字図形及び電子発光表示装置を具備した光電池イオン歯ブラシを提供する事ができる。又、より効率的なイオン反応を期待する目的で、（−）極に接続されている、導電体の表面積を（＋）極に接続されている導電体の表面積より効率的な反応が期待される適切な比率でもっと広く形成した。
ハンドル部の構成は図３の基本的概念図にて提示した様に各々の形成要素が電気的に構成され、ＩＣチップによる電気的信号によって使用者に有益な各種の情報が提供されるので上にて述べた目的を達成する事が出来る。
【図面の簡単な説明】
【図１】本発明の第１実施例に伴う一部切断正面図。
【図２】本発明の第１実施例に伴う一部切断背面図。
【図３】本発明の実施例に伴う電気回路の概念図。
【図４】本発明の第２実施例に伴う一部切断正面図。
【図５】本発明の第３実施例に伴う一部切断正面図。
【図６】本発明の第４実施例に伴う一部切断正面図。
【符号の説明】
１、２１、３１、４１：ハンドル部
２、２２、３３、４５：光電池
４、２３、３４、４５：文字図形及び電子発光表示装置
１２、２４、３２、４２：導電部
１３：イオン部
１４、１５、１６、２５、２６、２７、３６、４８：圧着保護体
１２ａ、１２ｂ、２４ａ、２４ｃ、２４ｅ：導電体
６：蓄電池
５：内蔵電池
３、３５、４７：Ｏｎ−ｋｅｙ
１１、２４ｂ、２４ｄ、２４ｆ：絶縁体
１０、２５：ブラシ部
【図１】
2004321765.tif 000003
【図２】
2004321765.tif 000004
【図３】
2004321765.tif 000005
【図４】
2004321765.tif 000006
【図５】
2004321765.tif 000007
【図６】
2004321765.tif 000008